(57)【要約】【課題】現用の内部照明付きの看板や表示灯などの発光パネルの照明は、主に蛍光灯を使用し、消費電力量が多く、ランプ寿命が短く、配光特性も悪いが現用ではこれ以上のものがない。この発明は新たな光源としてチューブ状発光体である電界発光ファイバーを使用し先の問題を解決するものである。【解決手段】この電界発光ファイバーはチューブ状で中心部の芯電極と外周にスパイラル状の付加電極との間にアルカリ土類アルミン酸塩に賦活剤として希土類元素を含有する蓄光体を層状に被覆したものである。図２に示すように、電界発光ファイバー６をガラス、アクリルなどの透明平板７の溝に挿入し平板がほぼ均等な照度になるように往復つづら折状または渦巻き状に配置する。補助光源として透明平板の端面にＬＥＤ９と導光板８を等間隔に交互に配置して一個の発光パネルとする。これを多層重ねて発光照度を均一化して縦横交互に配列し更に明るい発光パネル群を形成する。【選択図】      図２
2006216519.tif 000002
【特許請求の範囲】
【請求項１】
チューブ状発光体である電界発光ファイバーを、ガラスやアクリルなどの透明平板に溝を切って挿入し、透明平板がほぼ均等な照度になるよう配置することを特徴とする発光パネル。
【請求項２】
請求項１に記載の発光パネルにおいて、均等な照度のための配置として電界発光ファイバーを往復つづら折状または渦巻き状に配置することを特徴とする発光パネル。
【請求項３】
請求項１または請求項２に記載の発光パネル重ねにおいて、補助光源として透明平板の端面にＬＥＤを等間隔で配置し楔状断面の導光板を設けることを特徴とする発光パネル。
【請求項４】
請求項１または２に記載の発光パネルにおいてＬＥＤと楔状断面の導光板を組合せて交互に配列することを特徴とする発光パネル。
【請求項５】
請求項１から請求項３の何れかに記載の発光パネル重ねを単一の発光パネルを多層重ねて発光照度を均一化することを特徴とする多層重ねした発光パネル。
【請求項６】
請求項５に記載の発光パネルにおいて、多層重ねを縦横交互に配列することを特徴とする多層重ねした発光パネル。
【発明の詳細な説明】
【技術分野】
【０００１】本発明は、照明付き看板や表示灯などに使用するための発光パネルに関する。
【背景技術】
【０００２】  現在使用されている内部照明付きの看板や表示灯では、照明用光源として一般的には蛍光灯（蛍光ランプ）を使用しているが、消費電力量が多く、ランプ寿命が短いことなどによりかなりの維持費が必要となる。蛍光ランプは寿命が２年程しかないが安価であるために現用としてはこれ以上のものがない。この蛍光ランプの欠点はランプが棒状であるために配光特性が悪く、図８に示すようにランプと看板表面との距離Ｄを長く取らざるを得ない。
およそ図８の様な看板での例で表面照度の均一化を図る場合には、３０Ｗ蛍光ランプを３〜４本使用して使用電力量は９０〜１２０Ｗ×点灯時間となり、看板底板に取付けた蛍光灯と看板表面との距離Ｄを２５０ｍｍ以上必要とする。理由はそれ以下の距離Ｄではランプの光の強弱が表面に現れ看板の光の斑が大きくなり使用上問題が生じるからである。近年表示板等の発光パネルでＬＥＤを使用したものが多く見受けられるが、ＬＥＤを多数使用するために非常に高価になる。蛍光灯を使用した発光パネルは商用電力の消費が大きいので、いずれ環境対策で問題視される要因を孕んでいる。
【特許文献１】
【発明の開示】
【発明が解決しようとする課題】
【０００３】上記のように現在使用されている内部照明付きの看板や表示灯などの発光パネルでは、一般的には蛍光灯を使用しているため消費電力量が多くランプ寿命が短く配光特性が悪く図８に示すようにランプと看板表面の間の距離を長く取らざるを得ない。
本発明は発光パネルにおいて前述の問題点を解決し、消費電力の減少、長寿命、配光特性の向上、パネル厚の減少などを織り込んだ発光パネルを提供することにある。
【課題を解決するための手段】
【０００４】上記の課題を解決するために、本発明では従来の蛍光灯に代わる光源として電界発光ファイバーを使用する。
この電界発光ファイバー６は図１に示すように同心の構造の芯電極１とスパイラル状の付加電極４との間にアルカリ土類アルミン酸塩に賦活剤として希土類元素を含有する蓄光体２．５で層状に被覆したものである。この光源の製品例には外径２．５ｍｍのチューブ状で長さ８００ｍまでのものなどが利用可能であり、４００Ｈｚの電源使用時には１００ｍ当たり５Ｗの消費電力である。【０００５】このチューブ状発光体である電界発光ファイバー６を図２に示すようにガラス、アクリルなどの透明平板７に溝を切って挿入し、透明平板７がほぼ均等な照度になるよう配置する。（請求項１）【０００６】その際に、均等な照度のための配置として図３に示すように電界発光ファイバー６を往復つづら折状または渦巻き状に配置する。（請求項２）【０００７】請求項１または請求項２の発光パネルで、図４に示すように補助光源として透明平板７の端面にＬＥＤ９を等間隔に配置する。（請求項３）【０００８】請求項３のＬＥＤ９と楔状断面の導光板８を組合せ交互に配列する。（請求項４）【０００９】請求項１から請求項４の発光パネルで、図６に示すように発光パネルを多層重ねて発光照度を均一化する補助光源として透明平板の端面にＬＥＤ９と導光板８を等間隔で交互に配置する。（請求項５）【００１０】その際に、図７に示すように多層重ねを縦横交互に配列する。（請求項６）
【発明の効果】
【００１１】本発明の発光パネルを商用電力で使用した場合、例えば電力量は１０Ｗになり蛍光灯看板の１／１０で済む。【００１２】発光パネルに使う電界ファイバーの寿命は６年程度と言われており、従ってメンテナンス時間は従来の蛍光灯に比べて３倍に伸びる。【００１３】本発明の発光パネルは、光源と看板表面との距離を４０ｍｍに薄くでき蛍光灯光源の２５０ｍｍを必要とするのに比べて看板本体の厚さを約１／２５と非常に薄くできる。【００１４】電源として太陽電池を使う場合、消費電力量が蛍光灯１００Ｗに対し電界発光ファイバーでは１０Ｗで済み電気料金が無料となる。
【発明を実施するための最良の形態】
【００１５】以下、本発明の実施例について図面により説明する。
図１はチューブ状発光体である電界発光ファイバー６を図２のようにガラス、アクリルなどの透明平板７に溝を切って挿入し透明平板７がほぼ均等な照度になるよう配置する。その際に、均等な照度を得るための配置として電界発光ファイバー６を図３のように往復つづら折状または渦巻き状に配置するとする。
補助光源として図４のように透明平板７の端面にＬＥＤ９と導光板８を等間隔に配置する。その際に、多層重ねを縦横交互に配列する。図−６に示すように多層重ねを縦横交互に配列することを特徴とする発光パネル。
【産業上の利用可能性】
【００１６】本発明の発光パネルは、従来の商用電力利用の看板や表示灯に頼ることなく、また地域を限定せずに設置可能となり市場の拡大ができ、更に省エネでもあることから社会への貢献も期待できるものとなる。
【図面の簡単な説明】
【００１７】
【図１】発光パネルの電界発光ファイバーの構成を示す図
【図２】ガラス、アクリルなどの透明平板に電界発光ファイバーの配置を示す図
【図３】電界発光ファイバーを往復つづら折れ状、または渦巻き状にした配列を示す図
【図４】補助光源としてのＬＥＤの配置を示す図（楔ぬき）
【図５】補助光源としてのＬＥＤの配置を示す図
【図６】発光パネルの多層重ねの配列を示す図。
【図７】発光パネルの縦横交互の配列を示す図
【図８】現在看板に使用されている蛍光ランプ配列例を示す図
【符号の説明】
【００１８】１：芯電極
２：蓄光体層
３：電界発光素子層
４：負荷電極
５：蓄光体層
６：電界発光ファイバー
７：透明平板
８：導光板
９：ＬＥＤ
【図１】
2006216519.tif 000003
【図２】
2006216519.tif 000004
【図３】
2006216519.tif 000005
【図４】
2006216519.tif 000006
【図５】
2006216519.tif 000007
【図６】
2006216519.tif 000008
【図７】
2006216519.tif 000009
【図８】
2006216519.tif 000010